(57)【要約】      （修正有）【課題】簡単な回路構成でX線の焦点位置を変えることが可能な回転陽極X線管を提供する。【解決手段】熱電子を放出するフィラメントとフィラメントからの熱電子を集束する集束電極を有する陰極部と、陰極部に対向配置された陽極ターゲット6とを有する陽極部と、を備えた回転陽極X線管において、フィラメントは少なくとも2つのフィラメント3a、3bであり、少なくとも2つのフィラメント3a、3bはフィラメントの長さ方向に位置をずらして配置され、位置をずらしたフィラメント3a、3bの一方に熱電子を放出するための電力を切り替えて供給する切替部14と、を備える。【選択図】図４
2014007085.tif 000002
【特許請求の範囲】
【請求項１】
熱電子を放出するフィラメントと該フィラメントからの熱電子を集束する集束電極を有する陰極部と、該陰極部に対向配置された陽極ターゲットとを有する陽極部と、を備えた回転陽極Ｘ線管において、前記フィラメントは少なくとも２つのフィラメントであり、該少なくとも２つのフィラメントはそれぞれが該フィラメントの長さ方向に位置をずらして配置され、前記位置をずらしたフィラメントの一方に前記熱電子を放出するための電力を切り替えて供給する切替部と、を備えることを特徴とする回転陽極Ｘ線管。
【請求項２】
前記少なくとも２つのフィラメントは略同一寸法であって、それぞれが該フィラメントの長さ方向に前記フィラメント長の半分の長さ分の位置をずらして配置することを特徴とする請求項１に記載の回転陽極Ｘ線管。
【請求項３】
前記フィラメントは、大焦点用のフィラメントと小焦点用のフィラメントを組とする少なくとも２つの組で構成され、前記切替部は、前記少なくとも２つの組への前記熱電子を放出するための電力の供給を切り替えることを特徴とする請求項１に記載の回転陽極Ｘ線管。
【請求項４】
前記フィラメントは、大焦点用のフィラメント又は小焦点用のフィラメント何れかを、それぞれ該フィラメントの長さ方向にずらして配置した複数のフィラメントで構成され、前記切替部は、前記複数のフィラメントへの前記熱電子を放出するための電力の供給を切り替えることを特徴とする請求項１に記載の回転陽極Ｘ線管。
【請求項５】
前記フィラメントからの熱電子の放出方向に、前記集束電極と電気的に導通されている複数のグリッド線を設けたことを特徴とする請求項１に記載の回転陽極Ｘ線管。
【請求項６】
被検体にＸ線を照射するＸ線源と、前記Ｘ線源に対向配置され前記被検体を透過したＸ線を検出するＸ線検出器と、前記Ｘ線源と前記Ｘ線検出器を搭載し前記被検体の周囲を回転する回転円盤と、前記Ｘ線検出器により検出された透過Ｘ線量に基づき被検体の断層画像を再構成する画像再構成装置と、前記画像再構成装置により再構成された断層画像を表示する画像表示装置と、を備えたＸ線CT装置であって、前記Ｘ線源は、請求項１乃至５の何れか一項に記載の回転陽極Ｘ線管であること特徴とするＸ線ＣＴ装置。
【発明の詳細な説明】
【技術分野】
【０００１】
本発明は、回転陽極X線管とそれを用いたX線CT装置に係り、特にフライング焦点技法よりも簡単な技法でX線の焦点位置を変えることが可能な回転陽極X線管とそれを用いたX線CT装置に関するものである。
【背景技術】
【０００２】
フライング焦点技法を採用した回転陽極X線管は、特許文献1に開示されている。フライング焦点技法とは、X線管装置内に磁界を発生する電磁石を設け、発生させた磁界を用いて陰極から放出された電子ビームを偏向し、偏向された電子ビームにより陽極ターゲットへの衝突位置、即ちX線の焦点位置を変えるものである。電子ビームの偏向のためには、次の(1)、(2)の構成要素を必要とする。
【０００３】
(1)偏向手段：時間に伴い変化する陽極ターゲット上の電子線の衝突位置(焦点位置)を、焦点の目標位置に対応する制御装置の制御信号に応じて電子線を偏向させる。
【０００４】
(2)制御装置：焦点の現時位置を検出する検出手段と、現時位置の信号及び目標値信号を演算し、前記偏向手段を制御する制御信号を発生する。
【先行技術文献】
【特許文献】
【０００５】
【特許文献１】特開2000-48748号公報
【発明の概要】
【発明が解決しようとする課題】
【０００６】
特許文献1の制御装置には、焦点の現時位置を検出し、現時位置の信号及び目標値信号を常に演算し、偏向手段を制御するという複雑な構成要素を必要とする。このため、特許文献1では、簡単な回路構成でX線の焦点位置を変えるという未解決の課題を解決していないものと思料する。
【０００７】
そこで、本発明の目的は、簡単な回路構成でX線の焦点位置を変えることが可能な回転陽極X線管とそれを用いたX線CT装置を提供することにある。
【課題を解決するための手段】
【０００８】
上記目的を達成するために、本発明の回転陽極X線管は、熱電子を放出するフィラメントと該フィラメントからの熱電子を集束する集束電極を有する陰極部と、該陰極部に対向配置された陽極ターゲットとを有する陽極部と、を備えた回転陽極X線管において、前記フィラメントは少なくとも2つのフィラメントであり、該少なくとも2つのフィラメントは該フィラメントの長さ方向に位置をずらして配置され、前記位置をずらしたフィラメントの一方に前記熱電子を放出するための電力を切り替えて供給する切替部と、を備えることを特徴とするものである。
【発明の効果】
【０００９】
本発明によれば、簡単な回路構成でX線の焦点位置を変えることが可能な回転陽極X線管とそれを用いたX線CT装置を提供できる。
【図面の簡単な説明】
【００１０】
【図１】本発明を採用するX線CT装置の構成例を説明する図 。
【図２】本発明の各実施例で共通する回転陽極X線管の回転軸R1―R2に沿った断面図。
【図３】本発明の実施例1の回転陽極X線管の陰極部の電子線照射面から見た平面図とその断面図。
【図４】図3の回転陽極X線管の電力供給系統図。
【図５】図3の回転陽極X線管の集束電極4と陽極ターゲット6の電子ビームに沿った方向からみた拡大図、その直角方向から見た陽極ターゲット6の電子ビームの衝突の範囲を示す図、X線CT装置の検出器106のX線入射面、回転中心、X線焦点の位置関係を示す図。
【図６】図3の回転陽極X線管からX線検出器までのX線の到達例の説明図。
【図７】本発明の実施例2の回転陽極X線管の陰極部の電子線照射面から見た平面図とその断面図。
【図８】本発明の実施例3の回転陽極X線管の陰極部の電子線照射面から見た平面図とその断面図。
【図９】本発明の実施例4の回転陽極X線管の陰極部の電子線照射面から見た平面図とその断面図。
【発明を実施するための形態】
【００１１】
以下に、本発明に係る医用画像情報の転送装置および方法の一実施の形態について、図1を参照して詳細に説明する。
【００１２】
まず、図1は本発明を採用するX線CT装置の構成例を説明する図である。X線CT装置はスキャンガントリ部100と操作卓120とを備える。
【００１３】
スキャンガントリ部100は、X線管101と、回転円盤102と、コリメータ103と、X線検出器106と、データ収集装置107と、寝台105と、ガントリ制御装置108と、寝台制御装置109と、X線制御装置110と、を備えている。
【００１４】
X線管101は寝台105上に載置された被検体にX線を照射する装置でX線源として作用する。X線管101には例えば後述する回転陽極X線管がある。コリメータ103はX線管101から照射されるX線の放射範囲を制限する装置である。回転円盤102は、寝台105上に載置された被検体が入る開口部104を備えるとともに、X線管101とX線検出器106を搭載し、被検体の周囲を回転するものである。X線検出器106は、X線管101と対向配置され、被検体を透過したX線を検出することにより透過X線の空間的な分布を計測する装置であり、多数のX線検出素子を回転円盤102の回転方向に配列したもの、若しくは回転円盤102の回転方向と回転軸方向との2次元に配列したものである。データ収集装置107は、X線検出器106で検出されたX線量をデジタルデータとして収集する装置である。ガントリ制御装置108は回転円盤102の回転を制御する装置である。寝台制御装置109は、寝台105の上下前後左右動を制御する装置である。X線制御装置110はX線管101に入力される電力を制御する装置である。
【００１５】
操作卓120は、入力装置121と、画像演算装置122と、表示装置125と、記憶装置123と、システム制御装置124とを備えている。入力装置121は、被検体氏名、検査日時、撮影条件などを入力するための装置であり、具体的にはキーボードやポインティングデバイスである。画像演算装置122は、データ収集装置107から送出される計測データを演算処理してCT画像再構成を行う装置である。表示装置125は、画像演算装置122で作成されたCT画像を表示する装置であり、具体的にはCRT(Cathode Ray Tube)や液晶ディスプレイ等である。記憶装置123は、データ収集装置107で収集したデータ及び画像処理装置122で作成されたCT画像の画像データを記憶する装置であり、具体的にはHDD(Hard Disk Drive)等である。システム制御装置124は、これらの装置及びガントリ制御装置108と寝台制御装置109とX線制御装置110を制御する装置である。
【００１６】
入力装置121から入力された撮影条件、特にX線管電圧やX線管電流などに基づきX線制御装置110がX線管101に入力される電力を制御することにより、X線管101は撮影条件に応じたX線を被検体に照射する。X線検出器106は、X線管101から照射され被検体を透過したX線を多数のX線検出素子で検出し、透過X線の分布を計測する。回転円盤102はガントリ制御装置108により制御され、入力装置121から入力された撮影条件、特に回転速度などに基づいて回転する。寝台105は寝台制御装置109によって制御され、入力装置121から入力された撮影条件、特にらせんピッチなどに基づいて動作する。
【００１７】
X線管101からのX線照射とX線検出器106による透過X線分布の計測が回転円盤102の回転とともに繰り返されることにより、様々な角度からの投影データが取得される。取得された様々な角度からの投影データは画像処理装置122に送信される。画像処理装置122は送信された様々な角度からの投影データを逆投影処理することによりCT画像を再構成する。再構成して得られたCT画像は表示装置125に表示される。
【実施例１】
【００１８】
本発明の実施例1の回転陽極X線管について、図2乃至図6を用いて説明する。
実施例1は、2つのフィラメントと切替部という必要最小限の構成した例である。
図2は本発明の各実施例で共通する回転陽極X線管の回転軸R1―R2に沿った断面図である。
【００１９】
陰極部2および陽極部5は、外囲器1内に真空気密に封入されている。陽極部5は、陰極部2に対向して配置された陽極ターゲット6と、陽極ターゲット6を回転軸R1―R2に回転する回転機構部とから構成されており、回転機構部は、回転軸7、軸受8およびロータ9とから構成されている。また、ステータ10は、誘導磁界を発生するもので、ロータ9を挟む位置に配置されている。
【００２０】
次に、陰極部2の構成例について図3を用いて説明する。図3は本発明の実施例1の回転陽極X線管の陰極部の電子線照射面から見た平面図とその断面図である。図3(a)は前記平面図、図3(b)は前記断面図である。陰極部2は、熱電子を放出する2つのフィラメント3a、3bと、フィラメント3a、3bからの熱電子を集束する集束電極4とから構成されている。2つのフィラメント3a、3bは、それぞれの長さが略同じ寸法であり、2つのフィラメント3a、3bは、フィラメントの長さの方向に所定のずれ量Dでずらして配置されている。
【００２１】
また、2つのフィラメント3a、3bおよび集束電極4は、互いに電気的に絶縁されており、フィラメント3aと集束電極4との間、または、フィラメント3bと集束電極4との間に電圧を与えられる構造になっている。
【００２２】
フィラメント3aと集束電極4との間に電圧が与えられているときには、フィラメント3bと集束電極4がグリッドとして作用し、フィラメント3bと集束電極4との間に電圧が与えられているときには、フィラメント3aと集束電極4がグリッドとして作用する。
【００２３】
すなわち、実施例1の回転陽極X線管は、電圧が与えられていないフィラメント側の集束電極4がグリッドとして作用する3極X線管として動作する。
【００２４】
3極X線管とは陰極と陽極の間に、グリッドという電極が設けられたものである。グリッドは、陰極と陽極の間、ちょうど電子の通り路に入ることになる。そして、グリッドを負極にすると、陰極から陽極に向かう電子を反発するので、陽極側(＋)に流れる電流は減る。他方、グリッドを正極にすると、電子が通過することができるので、陽極側(＋)に流れる電流は増える。つまり、電子の流れはこのグリッドの電圧につれて増減・制御される。
【００２５】
また、集束電極4の形状は、2つのフィラメント3a、3bから放出される熱電子が焦点幅方向においては陽極ターゲット6上の同じ位置に衝突するように、たとえば、図3(b)に示すように、V字型に形成されている。
【００２６】
図4は、図3の回転陽極X線管の電力供給系統図である。回転陽極X線管の電力供給系統は、陰極部と陽極ターゲット6との間に直流高電圧を印加するための高電圧電源12と、フィラメント3aに加熱電流を供給するためのフィラメント加熱電源13aと、フィラメント3bに加熱電流を供給するためのフィラメント加熱電源13bが設けられる。高電圧電源12は、集束電極4に対して正の電圧を2つのフィラメント3a、3bに交互に切り替えて印加するグリッド電源の機能を有する切替部14が組み込まれており、制御回路15によって切替部14の出力電圧、切り替え周期および切り替えタイミングが制御される。切り替えタイミングは、タイミング波形13a1とタイミング波形13a2に図示される。タイミング波形13a2はタイミング波形13a1の反転パルスとなっている。
【００２７】
すなわち、切替部14は、タイミング波形13a1の「山」のときにフィラメント3aにフィラメント加熱電源13aを供給し、タイミング波形13a1の「谷」のときにフィラメント3aにフィラメント加熱電源13aを供給しない。他方、切替部14は、タイミング波形13a1の「谷」でタイミング波形13a2の「山」のときにフィラメント3bにフィラメント加熱電源13bを供給し、タイミング波形13a1の「山」でタイミング波形13a2の「谷」のときにフィラメント3bにフィラメント加熱電源13bを供給しない。切替部14の出力電圧は、実施例1において高電圧電源12により＋2kVが供給される。
【００２８】
次に、実施例1の動作について図4および図5を用いて説明する。図5は図3の回転陽極X線管の集束電極4と陽極ターゲット6の電子ビームに沿った方向からみた拡大図、その直角方向から見た陽極ターゲット6の電子ビームの衝突の範囲を示す図、X線CT装置の検出器106のX線入射面、回転中心、X線焦点の位置関係を示す図である。
【００２９】
図5(a)は前記拡大図、図5(b)は、2つのフィラメント3a、3bからの電子ビームが陽極ターゲット6に衝突する位置を示す図、図5(c)は前記X線入射面、回転中心、X線焦点の位置関係を示す図である。
【００３０】
実施例1では、例えば大焦点用フィラメントの長さFLLに対するずれ量Dとすれば、焦点の管軸方向変位量d(X線CT装置においては回転中心の体軸方向変位量に相当)は、陽極ターゲット6の傾斜角度をφとすると、d＝D・sinφにより計算される。X線CT装置の回転中心のX線ビームの体軸方向の幅を、焦点F3aからのX線ビームに対応するものをZ3a、焦点F3bからのX線ビームに対応するものをZ3bとすれば、その半分のビーム変位量のZ3baにX線の焦点位置を変えることができる。
【００３１】
ここでは、X線ビーム長について、焦点3a、3b―X線検出器106間の距離(FDD)、焦点3a、3b―回転中心間の距離(FCD)、回転中心―X線検出器106間の距離(CDD)としている。
【００３２】
2つのフィラメント3a、3bは切替部14を通してフィラメント加熱電源13a、13bからの加熱電流により所定の温度に加熱される。フィラメント3a、3bが所定の温度に加熱された状態で、切替部14を通して高電圧電源12から集束電極4と陽極ターゲット6との間に直流高電圧を印加される。このとき、切替部14は、集束電極4に対して＋2kVの電圧が、タイミング波形13a、13bに従って2つのフィラメント3a、3bに交互に印加されるため、一方の＋2kVの電圧が印加されているフィラメント(集束電極4と同電位のフィラメント)からは熱電子が放出され、他方の＋2kVの電圧が印加されていないフィラメントでは、集束電極4がグリッドの役割を果たすため、熱電子の放出が遮断される。このようにして、切替部14は制御回路15によって制御され2つのフィラメント3a、3bから熱電子が交互に放出される。フィラメント3a、3bから交互に放出された熱電子は、直流高電圧によって加速され、陽極ターゲット6の位置のF3a、F3bに衝突する。これにより、陽極ターゲット6上の2つの位置に焦点が交互に形成され、その結果として2つの焦点位置からX線が交互に発生する。
【００３３】
このように、FLL、Z3a、Z3b、FDD、FCD、CDDと、X線検出器106の1チャンネルのスライス厚方向の長さをパラメータとして、X線検出器106の1素子上に重なるようにかつ、X線CT装置の回転中心で半分の領域が重なるように被検体を通るX線ビームの通路を決定するためのフィラメント間のずれ量Dが決定される。
【００３４】
実施例1では、略同じ寸法の2つのフィラメント3a、3bを、フィラメントの長さ方向にDだけずらして配置しているため、陽極ターゲット6上に形成される焦点F3a、F3bも、フィラメントの長さ方向に沿ってDだけずれることになる。
【００３５】
次に、このような2つのフィラメント3a、3bを用いてスライス数を倍化する原理について図6を用いて説明する。
図6は図3の回転陽極X線管からX線検出器までのX線の到達例の説明図である。
【００３６】
図6に示すように、それぞれの焦点F3a、F3bから発生する1検出器列幅当たりのX線ビームは、Z軸上で50％だけオーバーラップされるように幾何学的に構成される。これにより、X線検出器106のX線入射面上において被検体の体軸方向のサンプリング密度を2倍に増やすことができるので、結果としてスライス数を検出器列数の2倍にすることが可能となる。
【００３７】
この図6において、X線検出器の体軸方向の列数を4列として図示したが、これは分かりやすくするために簡略的に示したものであり、実際には例えば16列乃至256列のX線検出器を用いている。
【００３８】
以上説明した実施例1によれば、熱電子を放出するフィラメント3と該フィラメント3からの熱電子を集束する集束電極を有する陰極部2と、該陰極部2に対向配置された陽極ターゲット6とを有する陽極部5と、を備えた回転陽極X線管において、前記フィラメント3は少なくとも2つのフィラメント3a、3bであり、該少なくとも2つのフィラメント3a、3bはそれぞれが該フィラメントの長さ方向に位置をずらして配置され、前記位置をずらしたフィラメント3a、3bの一方に前記熱電子を放出するための電力を切り替えて供給する切替部14と、を備えるため、切り替えられたフィラメントからの熱電子を集束電極4で集束し、集束された熱電子を陽極ターゲット6に衝突させてX線を発生することで、単に2つの位置をずらしたフィラメント3a、3bに、当該フィラメント3a、3bが熱電子を放出するための電力の供給を切り替えるだけの簡単な回路構成でX線の焦点位置を変えることができる。
【００３９】
また、実施例1の特有な効果は、フィラメントの長さ方向にずらして配置した2つのフィラメント3a、3bを切替部14で切り替える必要最小限の構成で、スライス数を倍化できる。
【００４０】
また、実施例1において1つの焦点位置からX線を発生させる場合には、2つのフィラメント3a、3bの何れか1つを所定の温度に加熱し、2つのフィラメント3a、3bと集束電極4とを同電位にした状態で、陰極部と陽極ターゲット6間に直流高電圧を印加すればよい。
【００４１】
また、実施例1において、大焦点用のフィラメント3a、3bの長さが凡そ12mmの同一寸法とすれば、フィラメント3a、3bのフィラメントの長さ方向のずれ量Dは6mm程度と計算されているので、フィラメント3a、3bのフィラメントの長さ方向のずれ量Dをフィラメント3a、3bのフィラメント長の半分としてもよい。
【実施例２】
【００４２】
本発明の実施例2の回転陽極X線管について、図7を用いて説明する。
実施例2は、大焦点と小焦点のフィラメントの2組と切替部で構成される。
図7は本発明の実施例2の回転陽極X線管の陰極部の電子線照射面から見た平面図とその断面図である。
図7(a)および図7(b)に示すように、実施例2の陰極部2は、熱電子を放出する4つのフィラメント3a、3b、3c、3dと、フィラメント3a、3b、3c、3dからの熱電子を集束する集束電極4とから構成されている。
【００４３】
フィラメント3a、3cと、フィラメント3b、3dは、大焦点用と小焦点用でそれぞれ組を形成しており、それぞれがフィラメントの長さ方向に直交する方向に並べて配置されている。
【００４４】
また、フィラメント3a、3bは大焦点用であり、その長さ方向にDだけずらして配置されている。一方、フィラメント3c、3dは小焦点用であり、同様にその長さ方向にDだけずらして配置されている。
【００４５】
また、4つのフィラメント3a、3b、3c、3dおよび集束電極4は、互いに電気的に絶縁されており、各フィラメントと集束電極4間に電圧を与えられるようになっている。また、集束電極4は、4つのフィラメント3a、3b、3c、3dから放出される熱電子が焦点幅方向においては陽極ターゲット6上の同じ位置に衝突するように、集束電極4の形状が形成されている。
【００４６】
すなわち実施例2は、大小それぞれの焦点において、2つの焦点位置からX線を交互に発生させることを可能としたものである。大焦点はX線の大出力用に、小焦点はX線の高分解能用として使い分けられる。実施例2の使い分け以外の構成や動作は実施例1と同じである。
【００４７】
以上説明した実施例2によれば、実施例1の効果に加え、切替部14は大焦点用フィラメント3aと小焦点用フィラメント3cの組、大焦点用フィラメント3bと小焦点用フィラメント3dの組を、それぞれの組一体で切り替えることができる。
【００４８】
また、実施例2の特有な効果は、切替部14は大焦点用フィラメントと小焦点用フィラメントの各組を一体で切り替えることができるので、大焦点用フィラメントと小焦点用フィラメントの切替部の回路構成等を共通化できる。
【実施例３】
【００４９】
本発明の実施例3の回転陽極X線管について、図8を用いて説明する。
実施例3は、3つのフィラメントと、集束電極4と、切替部14で構成される。
図8は本発明の実施例3の回転陽極X線管の陰極部の電子線照射面から見た平面図とその断面図である。
図8(a)および図8(b)に示すように、実施例3の陰極部2は、熱電子を放出する3つのフィラメント3c、3d、3eと、フィラメント3c、3d、3eからの熱電子を集束する集束電極4とから構成されている。
【００５０】
フィラメント3c、3d、3eは、小焦点用、大焦点用、小焦点用の順で、それぞれがフィラメントの長さ方向に直交する方向に並べて配置されている。
【００５１】
また、フィラメント3c、3dは小焦点用であり、その長さ方向にDだけずらして配置されている。他方、フィラメント3eは大焦点用であり、集束電極4の中央に1つだけ配置されている。
【００５２】
また、小焦点用フィラメント3c、3dおよび集束電極4は、互いに電気的に絶縁されており、フィラメント3cと集束電極4との間、または、フィラメント3dと集束電極4との間に電圧を与えられるようになっている。また、集束電極4は、3つのフィラメント3c、3d、3eから放出される熱電子が焦点幅方向においては陽極ターゲット6上の同じ位置に衝突するように、集束電極4の形状が形成されている。
【００５３】
すなわち実施例3は、小焦点用のフィラメントのみを用いて、2つの焦点位置からX線を交互に発生させることを可能としたものである。そして、大焦点用のフィラメントは1つの焦点位置からのX線発生となるように使い分けられる。実施例3の使い分け以外の構成や動作は実施例1と同じである。
【００５４】
上記説明は、小焦点用のフィラメントのみを用いて、2つの焦点位置からX線を交互に発生させ、大焦点用のフィラメントは1つの焦点位置からのX線発生となるように使い分けられる例を説明したが、逆に、大焦点用のフィラメントのみを用いて、2つの焦点位置からX線を交互に発生させ、小焦点用のフィラメントは1つの焦点位置からのX線発生となるように使い分けてもよい。
【００５５】
以上説明した実施例3によれば、実施例1の効果に加え、小焦点用あるいは大焦点用のみ、2つの焦点位置からX線を交互に発生させることができる。
【００５６】
また、実施例3の特有な効果は、大焦点用又は小焦点用のフィラメントの制御を省略できるので、実施例2より単純な構成要素で実施できる。
【実施例４】
【００５７】
本発明の実施例4の回転陽極X線管について、図9を用いて説明する。
実施例4は、実施例2にグリッド線17が設けられている。
図9は本発明の実施例4の回転陽極X線管の陰極部の電子線照射面から見た平面図とその断面図である。
【００５８】
図9(a)および図9(b)に示すように、フィラメント3a、3b、3c、3dからの熱電子の放出方向に、集束電極4と電気的に導通されている複数のグリッド線17が設けられている。グリッド線17以外の構成や動作は実施例2と同じである。
【００５９】
グリッド線17は、負極にすれば、集束電極4に対して正の電圧をフィラメントに印加した時に、フィラメント3a、3b、3c、3dからの電子の放出を抑制するが、正極にすれば、フィラメント3a、3b、3c、3dからの電子の放出を促進する。
以上説明した実施例4によれば、実施例2の効果を発揮することができる。
【００６０】
また、実施例4の特有な効果は、グリッド線17により、集束電極4に対して正負の電圧をフィラメントに印加した時の熱電子放出の遮断や促進を容易にすることができる。
【符号の説明】
【００６１】
1  外囲器、2  陰極部、3a，3b，3c，3d，3e  フィラメント、4  集束電極、5  陽極部、6  陽極ターゲット、7  回転軸、8  軸受、9  ロータ、10  ステータ、11  熱電子、12  高電圧電源、13a，13b  フィラメント加熱電源、14  切替部、15  制御回路、16a，16b  焦点、17  グリッド線、100  スキャンガントリ部、101  X線管、102  回転円盤、103  コリメータ、104  開口部、105  寝台、106  X線検出器、107  データ収集装置、108  ガントリ制御装置、109  寝台制御装置、110  X線制御装置、120  操作卓、121  入力装置、122  画像処理装置、123  記憶装置、124  システム制御装置、125  表示装置
【図１】
2014007085.tif 000003
【図２】
2014007085.tif 000004
【図３】
2014007085.tif 000005
【図４】
2014007085.tif 000006
【図５】
2014007085.tif 000007
【図６】
2014007085.tif 000008
【図７】
2014007085.tif 000009
【図８】
2014007085.tif 000010
【図９】
2014007085.tif 000011